(57)【要約】【課題】「シリンダーのもぎ取り」を防御すること。【解決手段】錠箱１のシリンダー用嵌合孔２８にシリンダー２９の外筒端部３０を差込み、一方、錠箱の内壁面に設けられた受け座２１の間に前記外筒端部３０の上下一対の突起部３２．３２の水平貫通孔３１．３１とそれぞれ連通する複数個の水平誘導孔５０を有する防御ブロック３５を組み込み、該防御ブロック３５と前記シリンダー２９は、錠箱の取り付け板４の上下の貫通孔７．８から錠箱内に差し込まれた複数本の細長い防御棒３６を介して串刺し状に一体的に結合していることを特徴とする錠前のシリンダーもぎ取り防御構造。【選択図】  図１０
2004353275.tif 000002
【特許請求の範囲】
【請求項１】
錠箱１のシリンダー用嵌合孔２８にシリンダー２９の外筒端部３０を差込み、一方、錠箱の内壁面に設けられた受け座２１の間に前記外筒端部３０の上下一対の突起部３２．３２の水平貫通孔３１．３１とそれぞれ連通する複数個の水平誘導孔５０を有する防御ブロック３５を組み込み、該防御ブロック３５と前記シリンダー２９は、錠箱の取り付け板４の上下の貫通孔７．８から錠箱内に差し込まれた複数本の細長い防御棒３６を介して串刺し状に一体的に結合していることを特徴とする錠前のシリンダーもぎ取り防御構造。
【請求項２】
請求項１に於いて、防御ブロック３５は、ケース身の受け座２１に突出形成された嵌合部２３の周壁に外嵌合する受け入れ孔４５及びデッドカム２５と干渉しないように該受け入れ孔４５に連通する切欠部４６．４８を有していることを特徴とする錠前のシリンダーもぎ取り防御構造。
【請求項３】
請求項１または請求項２に於いて、防御ブロック３５は、錠箱に固定的に設けられた支柱１７及び装着孔４７を介して錠箱内に固定されていることを特徴とする錠前のシリンダーもぎ取り防御構造。
【請求項４】
請求項１に於いて、防御ブロック３５は、１個のブロック体に形成されていることを特徴とする錠前のシリンダーもぎ取り防御構造。
【請求項５】
請求項１に於いて、防御ブロック３５は、錠箱内に固定的に配設され、かつ、上下２本の細長い防御棒３６．３６が貫通するガイド板５５に結合していることを特徴とする錠前のシリンダーもぎ取り防御構造。
【請求項６】
請求項１に於いて、防御ブロック３５は、肉厚の板状に形成されていることを特徴とする錠前のシリンダーもぎ取り防御構造。
【発明の詳細な説明】
【０００１】
【発明の属する技術分野】
本発明は、錠前のシリンダーもぎ取り防御構造に関する。
【０００２】
【従来の技術】
従来の一例として特開２００３−１２００８３公報を記載する。この公報に記載の錠構造は、泥棒が挟み部を有するプライヤーを用い、化粧リングと共に、固定筒及びシリンダー錠を無理やり「もぎ取る」ことを防止している。
【０００３】
しかしながら、近年、泥棒の手口が悪化し、超硬ドリル、超硬ホールソーなどの切削工具を用いてシリンダーの化粧リング或いは外筒体の周縁の扉の外壁面に穴を開け、次いで錠箱のシリンダー装着用の嵌合孔の周縁部を破壊し、しいてはシリンダー錠（以下、「シリンダー」という。）そのものを「もぎ取る」ケースもある。このようなケースの場合には、シリンダーの保護構造の対策のみでは必ずしも万全ではなく、もっと、別の観点から錠前のシリンダーもぎ取り対策を講じる必要がある。
【０００４】
【発明が解決しようとする課題】
本発明の第１の目的は、泥棒が超硬ドリル、超硬ホールソーを用いて扉の外壁面に穴を開けて錠前を攻撃してきた場合にも防御し得る錠前のシリンダーもぎ取り防御構造を提供することである。これにより、「シリンダーのもぎ取り」を防御することができる。第２の目的は、錠箱を構成するケース身とケース蓋の受け座や取り付け板を改良することなく、既存の錠箱をそのまま用いることができることである。第３の目的は、錠箱の内部空間を有効利用すると共に、デッドカムの作動に対して障害にならない（干渉しない）ことである。第４の目的は、シリンダー及び防御ブロックを錠箱に強固に合体させることである。
【０００５】
【課題を解決するための手段】
本発明の錠前のシリンダーもぎ取り防御構造は、錠箱１のシリンダー用嵌合孔２８にシリンダー２９の外筒端部３０を差込み、一方、錠箱の内壁面に設けられた受け座２１の間に前記外筒端部３０の上下一対の突起部３２．３２の水平貫通孔３１．３１とそれぞれ連通する複数個の水平誘導孔５０を有する防御ブロック３５を組み込み、該防御ブロック３５と前記シリンダー２９は、錠箱の取り付け板４の上下の貫通孔７．８から錠箱内に差し込まれた複数本の細長い防御棒３６を介して串刺し状に一体的に結合していることを特徴とする。
【０００６】
上記構成に於いて、防御ブロック３５は、ケース身の受け座２１に突出形成された嵌合部２３の周壁に外嵌合する受け入れ孔４５及びデッドカム２５と干渉しないように該受け入れ孔４５に連通する切欠部４６．４８を有していることを特徴とする。また、防御ブロック３５は、錠箱に固定的に設けられた支柱１７及び装着孔４７を介して錠箱内に固定されていることを特徴とする。
【０００７】
【発明の実施の形態】
まず、図１及び図１０を参照にして発明の実施の環境について説明する。１は錠箱で、この錠箱１はケース身２と、このケース身に固着手段を介して結合するケース蓋３とから成る。前記ケース身２は、縦長状の取り付け板４、この取り付け板４の内壁面に固定された比較的短い介在板５、取り付け板４の外壁面に固定されるフロント６をそれぞれ有する。フロント６、介在板５、取り付け板４をそれぞれ固着する固着具や錠前の施錠機構は本発明に直接関係のないので割愛している。
【０００８】
符号７．８は、前記取り付け板４及び介在板５等にそれぞれ形成された合計４個の貫通孔で、これらの貫通孔７．８には、現場でシリンダーやサムターンを装着する際に後述する４本の細長い防御棒がそれぞれ差し込まれる。
【０００９】
９は取り付け板４並びにフロント６から出入りできるように錠箱１に横設されたデッドボルトで、このデッドボルト９は、窓部１０、ガイド軸１１などに案内される。デッドボルト９は、図示しないストライクと係合する先端部１２、前記ガイド軸１１と係合する水平長孔１３を有する中間部１４、デッドカムと係合する後端部１５などを有すると共に、前記中間部１４の上壁中央部には、出没方向に向かってヒレ状の係合突片部１６が設けられている。
【００１０】
１７はケース身２に固定的に設けられた複数本のメネジの支柱で、これらのメネジ支柱１７には、複数個の固着具１８がそれぞれ螺合する。
２１はケース身２の内壁面にカシメ固定された受け座で、この受け座２１の中央部には、円形の嵌合孔２２を有する嵌合部２３が突出形成されている。なお、ケース蓋３の内壁面にもケース身２と同様に嵌合部を有する受け座が設けられている（図面省略）。
【００１１】
しかして、前記受け座２１（ケース蓋３の受け座も含む）の嵌合孔２２には、図１０で示すデッドカム２５の筒状係合部２６が回動可能に嵌合する。デッドカム２５は筒状係合部２６から半径方向に延びる駆動腕２７を有しており、該駆動腕２７は前述したデッドボルト９の後端部１５に係合している。デッドカム２５は、合鍵の操作によって作動するシリンダーまたはサムターンの駆動力により回転する。これによりデッドボルト９は出没する。
【００１２】
ここで、図８及び図９を参照にしてケース身３の幅広側壁に形成されたシリンダー用嵌合孔について説明する。普通一般に、錠箱１のケース身２及びケース蓋３の幅広側壁の隅角部には、シリンダー用嵌合孔２８とサムターン用の嵌合孔（図示しない）がそれぞれ形成されている。これらの嵌合孔は、外観上、「ちょうちん」の輪郭形状に形成され、ケース身２側の嵌合孔２８には、シリンダー２９の外筒端部３０が挿着される。
【００１３】
ところで、シリンダー２９の外筒端部３０の外周壁の上下の部位には、前述した複数本の細長い防御棒３６が貫通する水平貫通孔３１．３１を有する突起部３２．３２がそれぞれ形成されている。そして、ケース身２側の嵌合孔２８にシリンダー２９の外筒端部３０が挿入或いは挿着すると、上下一対の前記突起部３２．３２が受け座２１の嵌合部２３の周壁に形成した上下の円弧状切欠部３３．３３から突出する。
【００１４】
次に図１乃至図１０を参照にして本発明の主要部について説明する。図３は防御ブロック３５の斜視図である。この防御ブロック３５は、図１０で示すように、ケース身２の受け座２１とケース蓋３の受け座との間（内部空間）に配設され、少なくとも錠箱１の嵌合孔２８に嵌め込まれたシリンダー２９の外筒端部３０の上下一対の突起部３２．３２と複数本（例えば２本乃至４本）の細長い防御棒３６を介して一体的に連結される。
【００１５】
図３を基準にして門型の防御ブロック３５の構造を説明する。３７はケース蓋３側の垂直側壁で、この垂直側壁３７はケース蓋３の内壁面に規制される。３８はケース身側の垂直側壁で、この垂直側壁３８はケース身２の内壁面に規制（直接的には受け座２１に面接触状態で規制）される。３９はフロント側の前壁で、この前壁３９は後述するガイド板で規制される。４０は錠箱１の後壁の内壁面に規制される後壁である。４１は錠箱の上壁の内壁面に規制される上壁である。４２はデッドボルト９の後端部側の底壁である。
【００１６】
しかして、前記垂直側壁３７．３８の中央部には、比較的大きな受け入れ孔４５が形成され、この受け入れ孔４５は下端部（底壁部）の中央部に形成した中央切欠部４６と連通している。受け入れ孔４５は、防御ブロック３５の上端部（上壁部）の左右の部位にそれぞれ形成した装着孔４７．４７及びケース身２側のメネジの支柱１７を介して受け座２１内に組み込んだ場合には、受け座２１の嵌合部２２の周壁に余裕を持って外嵌合する。この場合受け入れ孔４５は、ケース蓋３の図示しない受け座の嵌合部の周壁にも余裕を持って外嵌合する。
【００１７】
ここで図６を参照に他の切欠部について説明する。一つの門型状防御ブロック３５の底壁部４２には、前壁３９から後壁４０に亘って中央切欠部４６と連通する底壁切欠部４８が形成されている。この底壁切欠部４８及び中央切欠部４６は、デッドカム（通称「ダルマ」）等に干渉しないように設けたものである。したがって、底壁切欠部４８及び中央切欠部４６の形状は、任意に設計変更可能である。
【００１８】
図４及び図５を参照にして防御棒用の水平誘導孔５０を説明する。前述したように、シリンダー２９や図示しないサムターンを錠箱１に装着する際に、例えば合計４本の細長い防御棒３６が、取り付け板４の上下の貫通孔７．８を介して防御ブロック３５及びシリンダー２９の外筒端部３０の上下一対の突起部３２．３２にそれぞれ差し込まれる。
【００１９】
そこで、防御ブロック３５の上端部と下端部には、前記取り付け板４の上下の貫通孔７．８のライン上またはこれに準じる位置に防御棒用の水平誘導孔５０が合計８個形成されている。    次に８個の水平誘導孔５０に関して補足説明する。図４及び図７で示すように防御ブロック３５の前壁３９部側に形成された４個の水平誘導孔５０は水平状態であるが、後壁４０部側に形成された４個の水平誘導孔５０は、細長い防御棒３６が容易に抜けないようにやや緩やかな曲率（やや弧状）を描いている。
【００２０】
図７で示すように、シリンダー２９の外筒端部３０の上下一対の突起部３２．３２の水平貫通孔３１．３１と、防御ブロック３５の片側（ケース身側）の上下、かつ、前後の水平誘導孔５０は水平線上に連通するので、２本の細長い防御棒３６は、取り付け板４の上下の貫通孔７．８から防御ブロック３５の片側（ケース身側）の上下の水平誘導孔５０、シリンダー２９の外筒端部３０の水平貫通孔３１．３１へと、いわゆる串刺状にそれぞれ刺す必要がある。２本の細長い防御棒３６を串刺状に刺すと、防御ブロック３５とシリンダー２９は一体的に結合する。
【００２１】
したがって、特に図示しないが、サムターンも残りの２本の細長い防御棒３６を取り付け板４の他方側の上下の貫通孔７．８から防御ブロック３５の他方側（ケース蓋側）の上下の水平誘導孔５０．５０及びサムターンの外筒端部の水平貫通孔へと、いわゆる串刺状にそれぞれ刺すことにより、防御ブロック３５とサムターンは一体的に結合する。
【００２２】
なお、図１０で示すように、本実施例では、デッドボルト９の係合突起片部１６と係合するガイド板５５がケース身３内に固定的に配設され、前述した上下２本の細長い防御棒３６．３６は、ガイド板５５の上下に形成した貫通小孔も貫通している。したがって、防御ブロック３５及びシリンダー２９は、より一層錠箱１と合体する。
【００２３】
【実施例】
防御ブロック３５は、錠箱１の内壁面に規制されるように門型形状に形成されているが、この形態に限定するものではない。ダルマ、施・解錠機構を構成する作動片などの障害にならない限り、任意に設計変更することができる（例えばやや肉厚の板状に形成する例）。また、防御ブロック３５は、組み込みの簡易化の観点から１個のブロック体に形成しているが、発明の目的及び作用が同一である限り、二分割のブロック体に形成しても良い。さらに、防御ブロック３５は、超硬ドリル、超硬ホールソーなどの切削工具に耐えることができるように炭素鋼を焼き入れ処理して肉厚の板状或いはブロック状形成しても良い。
【００２４】
【発明の効果】
以上の説明から明らかなように、本発明にあっては、次に列挙するような効果がある。
（１）泥棒が超硬ドリル、超硬ホールソーを用いて扉の外壁面に穴を開けて錠前を攻撃してきた場合にも防御し得る錠前のシリンダーもぎ取り防御構造を提供することができる。これにより、「シリンダーのもぎ取り」を防御することができる。
（２）錠箱を構成するケース身とケース蓋の受け座や取り付け板を改良することなく、既存の錠箱をそのまま用いることができる。
（３）請求項２に記載の発明は、錠箱の内部空間を有効利用すると共に、デッドカムの作動に対して障害にならない（干渉しない）。
（４）シリンダー及び防御ブロックを錠箱に強固に合体させることができる。
（５）防御ブロックが１個の門型形状に形成されている実施例の場合には、組み込みの簡易化を図ることができる。
【図面の簡単な説明】
図１乃至図１０は本発明の一実施例を示す各説明図。
【図１】本発明の主要部が適合する実施の環境（錠箱）の一例を示す概略説明図。
【図２】錠箱に配設する場所を示した概略説明図。
【図３】本発明の主要部（防御ブロック、細長い防御棒）の斜視図。
【図４】防御ブロックの左側面からの説明図。
【図５】図３の４−４線概略断面図。
【図６】防御ブロックの底面からの説明図。
【図７】細長い防御棒を介して防御ブロックとシリンダーの外筒端部とを結合した概略断面説明図。
【図８】錠箱のシリンダー用嵌合孔の概略説明図。
【図９】シリンダーの外筒端部を錠箱のシリンダー用嵌合孔に挿着した場合の概略説明図。
【図１０】本発明の実施形態の一例を示す概略説明図。
【符号の説明】
１…錠箱、２…ケース身、３…ケース蓋、４…取り付け板、６…フロント、７、８…貫通孔、９…デッドボルト、１７…支柱、２１…受け座、２２…嵌合孔、２３…嵌合部、２５…デッドカム、２６…筒状係合部、２７…駆動腕、２８…シリンダー用嵌合孔、２９…シリンダー、３０…外筒端部、３１…水平貫通孔、３２…突起部、３３…円弧状切欠部、３５…防御ブロック、３６…細長い防御棒、３７、３８…垂直側壁、３９…前壁、４０…後壁、４１…上壁、４２…底壁、４５…受け入れ孔、４６…中央切欠部、４７…装着孔、４８…底壁切欠部、５０…水平誘導孔、５５…ガイド板。
【図１】
2004353275.tif 000003
【図２】
2004353275.tif 000004
【図３】
2004353275.tif 000005
【図４】
2004353275.tif 000006
【図５】
2004353275.tif 000007
【図６】
2004353275.tif 000008
【図７】
2004353275.tif 000009
【図８】
2004353275.tif 000010
【図９】
2004353275.tif 000011
【図１０】
2004353275.tif 000012